(57)【要約】      （修正有）【課題】ヘッドホン折り畳み装置及びそのアセンブリを提供する。【解決手段】ヘッドホン折り畳み装置１００は、第１ヘッドバンド１１、第２ヘッドバンド２１、連結座体３１、回転軸４１、弾性部材５１、ボタン６１を含み、そのうち、ボタン６１が弾性部材５１に付勢されて連結座体３１の収容槽３３に配置され、押圧部６２とフック部６３を含み、弾性部材５１が解放された状態のとき、弾性部材５１によりボタン６１が押圧されてフック部６３が係止体２３に係着され、第２ヘッドバンド２１と第１ヘッドバンド１１が同軸の位置にあり、押圧部６２が押圧されると、弾性部材５１が圧縮されてフック部６３が係止体２３から離脱し、回転軸４１を中心として第２ヘッドバンド２１を旋回させ、第２ヘッドバンド２１を第１ヘッドバンド１１の横に揃えて並べた位置にすることができる。【選択図】図２
0003189866.tif 000002
【実用新案登録請求の範囲】
【請求項１】
ヘッドホン折り畳み装置であって、
第１固定片を含む第１ヘッドバンドと、
第２固定片及び係止体を含む第２ヘッドバンドと、
前記第１固定片と前記第２固定片の間に連結され、一端に収容槽を備えた連結座体と、
前記連結座体に挿通され、前記第１固定片及び前記第２固定片を枢支する回転軸と、
前記収容槽に配置された弾性部材と、
前記弾性部材に付勢されて前記収容槽に配置され、押圧部とフック部を含むボタンと、を含み、
前記弾性部材が解放された状態のとき、前記弾性部材により前記ボタンが押圧されて前記フック部が前記係止体に係着され、前記第２ヘッドバンドと前記第１ヘッドバンドが同軸の位置にあり、前記押圧部が押圧されると、前記弾性部材が圧縮されて前記フック部が前記係止体から離脱し、前記回転軸を中心として前記第２ヘッドバンドを旋回させ、前記第２ヘッドバンドを前記第１ヘッドバンドの横に揃えて並べた位置にすることができることを特徴とする、
ヘッドホン折り畳み装置。
【請求項２】
前記第２ヘッドバンドが位置規制槽を含み、前記連結座体が前記位置規制槽に位置する突起部を含み、前記突起部が前記位置規制槽の第１位置にあるとき、前記第２ヘッドバンドと前記第１ヘッドバンドが同軸位置にあり、前記突起部が前記位置規制槽の第２位置にあるとき、前記第２ヘッドバンドと前記第１ヘッドバンドが横に揃えて並べられた位置にあることを特徴とする、請求項１に記載のヘッドホン折り畳み装置。
【請求項３】
前記連結座体の他端が旋回槽を含み、前記第１固定片が第１折り畳み部を含み、前記第２固定片が第２折り畳み部を含み、前記第２ヘッドバンドと前記第１ヘッドバンドが同軸位置にあるとき、前記第１折り畳み部と前記第２折り畳み部が重なり合って前記旋回槽に位置し、前記第２ヘッドバンドと前記第１ヘッドバンドが横に揃えて並べられた位置にあるとき、前記第２折り畳み部が前記旋回槽から露出されることを特徴とする、請求項１に記載のヘッドホン折り畳み装置。
【請求項４】
前記ボタンの前記押圧部が前記収容槽に対面する凹溝を含み、前記弾性部材の一端が前記凹溝に位置し、前記収容槽が前記押圧部に対面する凹陥溝を含み、前記弾性部材の他端が前記凹陥溝に位置することを特徴とする、請求項１に記載のヘッドホン折り畳み装置。
【請求項５】
前記第２ヘッドバンドがさらに挿入槽を含み、前記係止体が前記挿入槽に位置し、前記ボタンの前記フック部が前記挿入槽に挿入されて前記係止体に係着されることを特徴とする、請求項１に記載のヘッドホン折り畳み装置。
【請求項６】
ヘッドホン折り畳みアセンブリであって、
第１固定片を含む第１ヘッドバンドと、
第２固定片及び係止体を含む第２ヘッドバンドと、
前記第１固定片と前記第２固定片の間に連結され、一端に収容槽を備えた連結座体と、
前記連結座体に挿通され、前記第１固定片及び前記第２固定片を枢支する回転軸と、
前記収容槽に配置された弾性部材と、
前記弾性部材に付勢されて前記収容槽に配置され、押圧部とフック部を含むボタンと、を含み、
前記弾性部材が解放された状態のとき、前記弾性部材により前記ボタンが押圧されて前記フック部が前記係止体に係着され、前記第２ヘッドバンドと前記第１ヘッドバンドが同軸の位置にあり、前記押圧部が押圧されると、前記弾性部材が圧縮されて前記フック部が前記係止体から離脱し、前記回転軸を中心として前記第２ヘッドバンドを旋回させ、前記第２ヘッドバンドを前記第１ヘッドバンドの横に揃えて並べた位置にすることができ、
さらに、多方向に旋回可能に前記第１ヘッドバンドに連結するために用いられる第１旋回装置を含む第１イヤーパッドと、
多方向に旋回可能に前記第２ヘッドバンドに連結するために用いられる第２旋回装置を含む第２イヤーパッドと、を含むことを特徴とする、
ヘッドホン折り畳みアセンブリ。
【請求項７】
前記第２ヘッドバンドが位置規制槽を含み、前記連結座体が前記位置規制槽に位置する突起部を含み、前記突起部が前記位置規制槽の第１位置にあるとき、前記第２ヘッドバンドと前記第１ヘッドバンドが同軸位置にあり、前記突起部が前記位置規制槽の第２位置にあるとき、前記第２ヘッドバンドと前記第１ヘッドバンドが横に揃えて並べられた位置にあることを特徴とする、請求項６に記載のヘッドホン折り畳みアセンブリ。
【請求項８】
前記連結座体の他端が旋回槽を含み、前記第１固定片が第１折り畳み部を含み、前記第２固定片が第２折り畳み部を含み、前記第２ヘッドバンドと前記第１ヘッドバンドが同軸位置にあるとき、前記第１折り畳み部と前記第２折り畳み部が重なり合って前記旋回槽に位置し、前記第２ヘッドバンドと前記第１ヘッドバンドが横に揃えて並べられた位置にあるとき、前記第２折り畳み部が前記旋回槽から露出されることを特徴とする、請求項６に記載のヘッドホン折り畳みアセンブリ。
【請求項９】
前記ボタンの前記押圧部が前記収容槽に対面する凹溝を含み、前記弾性部材の一端が前記凹溝に位置し、前記収容槽が前記押圧部に対面する凹陥溝を含み、前記弾性部材の他端が前記凹陥溝に位置することを特徴とする、請求項６に記載のヘッドホン折り畳みアセンブリ。
【請求項１０】
前記第２ヘッドバンドがさらに挿入槽を含み、前記係止体が前記挿入槽に位置し、前記ボタンの前記フック部が前記挿入槽に挿入されて前記係止体に係着されることを特徴とする、請求項６に記載のヘッドホン折り畳みアセンブリ。
【考案の詳細な説明】
【技術分野】
【０００１】
本考案は折り畳み装置に関し、特にヘッドホン折り畳み装置及びそのアセンブリに関する。
【背景技術】
【０００２】
エンターテイメントの視聴及び映像・音楽機材の使用は普及が進んでおり、新技術の飛躍に伴って進歩している。高品質のエンターテイメント視聴のほか、構造面でも多くの機能が付加されている。そのうち、一般的なヘッドバンド式ヘッドホンを例とすると、頭部に装着してヘッドホンを支えるためのヘッドバンドが設けられており、使用完了後は通常吊り下げて使用されている。
【０００３】
しかしながら、ヘッドバンド式ヘッドホンは体積が比較的大きく、ヘッドバンドとイヤーパッドに関して見ると、使用者がヘッドホンを取り外したとき、ヘッドバンドと離れた２つのイヤーパッドが占める体積が大きすぎて空間を占用し、また携帯及び収納上も不便である。
そのため、ヘッドバンド式ヘッドホンの構造において折り畳み、開閉等の作用をする部材を追加し、収納の利便性と製品の付加価値をいかに高めるかということが、関連分野の研究者が解決を望んでいる問題である。
【考案の概要】
【考案が解決しようとする課題】
【０００４】
以上の問題に鑑み、本考案の目的は、前述のヘッドバンド式ヘッドホンが音楽を聴く機能のみを提供し、収納に便利な折り畳み等の機能を提供することができない問題を解決する、ヘッドホン折り畳み装置及びそのアセンブリを提供することにある。
【課題を解決するための手段】
【０００５】
本考案の一実施例のヘッドホン折り畳み装置は、第１ヘッドバンド、第２ヘッドバンド、連結座体、回転軸、弾性部材、ボタンを含む。そのうち、ボタンは弾性部材に付勢されて連結座体の収容槽に配置され、押圧部とフック部を含み、前記弾性部材が解放された状態のとき、弾性部材によりボタンが押圧されてフック部が係止体に係着され、第２ヘッドバンドと第１ヘッドバンドが同軸の位置にあり、押圧部が押圧されると、弾性部材が圧縮されてフック部が係止体から離脱し、回転軸を中心として第２ヘッドバンドを旋回させ、第２ヘッドバンドを第１ヘッドバンドの横に揃えて並べた位置にすることができる。
【０００６】
本考案の一実施例のヘッドホン折り畳みアセンブリは、第１ヘッドバンド、第２ヘッドバンド、連結座体、回転軸、弾性部材、ボタン、第１イヤーパッド、第２イヤーパッドを含む。そのうち、ボタンは連結座体の収容槽に配置され、かつ弾性部材に付勢され、押圧部とフック部を含み、弾性部材が解放された状態のとき、弾性部材がボタンを押圧してフック部が係止体に係着され、第２ヘッドバンドと第１ヘッドバンドが同軸の位置にあり、押圧部が押圧されると、弾性部材が圧縮されてフック部が係止体から離脱し、回転軸を中心として第２ヘッドバンドを旋回させ、第２ヘッドバンドを第１ヘッドバンドの横に揃えて並べた位置にすることができる。
また、第１イヤーパッドが第１旋回装置を含み、第１ヘッドバンドに連結され、第１イヤーパッドを多方向に旋回可能とするために用いられ、第２イヤーパッドが第２旋回装置を含み、第２ヘッドバンドに連結され、第２イヤーパッドを多方向に旋回可能とするために用いられる。
本考案のヘッドホン折り畳み装置によれば、ボタンのオン・オフという便利な操作で第１ヘッドバンドと第２ヘッドバンドを簡単に閉じ合わせたり開いたりすることができ、同時に回転軸により第２ヘッドバンドを折り畳んで第１ヘッドバンドと平行にする効果が達せられ、さらに第１旋回装置、第２旋回装置により第１イヤーパッド、第２イヤーパッドを多方向に旋回させる機能が提供され、体積の縮小と収納という効果が達せられる。
【図面の簡単な説明】
【０００７】
【図１】本考案の実施例１の立体外観図である。
【図２】本考案の立体部分分解図である。
【図３】本考案の別の角度からの立体部分分解図である。
【図４】本考案のボタンが押圧されていない状態の部分断面図である。
【図５】本考案のボタンが押圧された状態の部分断面図である。
【図６】本考案の別のボタンの部分断面図１である。
【図７】本考案の別のボタンの部分断面図２である。
【図８】本考案のヘッドバンドを旋回させた状態の部分断面図である。
【図９】本考案のイヤーパッドを旋回させる前の立体外観図である。
【図１０】本考案のイヤーパッドを旋回させた状態の立体外観図である。
【考案を実施するための形態】
【０００８】
本考案の実施例について、以下、図面を参照しながら詳細に説明する。
【実施例１】
【０００９】
図１、図２、図３に示す本考案のヘッドホン折り畳み装置１００は、本考案の実施例１である。
ヘッドホン折り畳み装置１００は主に第１ヘッドバンド１１、第２ヘッドバンド２１、連結座体３１、回転軸４１、弾性部材５１、ボタン６１から構成される。ここで、図に示すように、ヘッドホン折り畳み装置１００はヘッドバンド式ヘッドホンマルチメディアアクセサリであり、本実施例において、ヘッドホン折り畳み装置１００は第１イヤーパッド８１と第２イヤーパッド９１を備え、一般的な音声出力の効果を備えている。
【００１０】
図２に示すように、第１ヘッドバンド１１は半弧形の飾板であり、かつ本実施例において、第１ヘッドバンド１１内には第１固定片１２が設置される。ここで、第１固定片１２は弾性機能を備えた薄型鉄片であり、断裂を回避する靭性を備え、伸長または短縮作用を備えている。
本実施例において、第１固定片１２は一端に第１折り畳み部１３を備え、第１折り畳み部１３上に軸孔１３１が穿設される。
【００１１】
図２に示すように、第２ヘッドバンド２１は半弧形の飾板であり、かつ本実施例において、第２ヘッドバンド２１内には第２固定片２２と係止体２３が設置され、かつ第２固定片２２は弾性機能を備えた薄型鉄片であり、断裂を回避する靭性を備え、伸長または短縮作用を備えている。
本実施例において、第２固定片２２は一端に第２折り畳み部２５を備え、第２折り畳み部２５上に軸孔２５１が穿設される。
【００１２】
図２に示すように、本実施例において、第２ヘッドバンド２１の一端にカバーリング２６が設置され、カバーリング２６は主に上蓋２６１と下蓋２６２から構成される。
【００１３】
図２に示すように、本実施例において、係止体２３は円柱体であり、カバーリング２６中に設置される（即ち、係止体２３とカバーリング２６は分離した部材である）。かつ、第２固定片２２が上蓋２６１と下蓋２６２の間に介在され、下蓋２６２に前記第２折り畳み部２５に対応する折り畳み部２６３が一体として設けられ、折り畳み部２６３上に第２折り畳み部２５の軸孔２５１に対応する軸孔２６４が穿設される。
【００１４】
前述した係止体２３が円柱体であるとの説明は例を挙げたのみであり、一部の実施態様において、図６に示すように、係止体２３は下蓋の壁面から突出させて形成してもよい。
【００１５】
図３に示すように、第２ヘッドバンド２１はさらに位置規制槽２４を備え、下蓋２６２の折り畳み部２６３上に位置し、ここで、位置規制槽２４は半弧形の凹溝である。
本実施例において、第２ヘッドバンド２１はさらに挿入槽２７を備え、上蓋２６１と下蓋２６２の側面端部に位置し（即ち、孔状を形成する）かつ、係止体２３が挿入槽２７の内側に位置する。
【００１６】
図２に示すように、本実施例において、連結座体３１は主に上板３１１と下板３１２から構成され、断面を見ると、上板３１１と下板３１２は概ね相互に対向するＬ字形を呈し、全体を見ると、Ｃ字形の挟片を形成している。
また、連結座体３１は第１固定片１２と第２固定片２２の間に連結され、本実施例において、連結座体３１の一端に収容槽３２が設けられ、収容槽３２の内側にボタン６１の押圧部６２に対面する凹陥溝３２１が形成され、連結座体３１の他端にさらに旋回槽３４（図９に示す上板３１１と下板３１２の間の槽）が設けられる。
【００１７】
図２及び図３に示すように、本実施例において、連結座体３１はさらに突起部３３を備え、第２ヘッドバンド２１の位置規制槽２４に位置する。突起部３３が位置規制槽２４の第１位置Ｐ１に位置するとき（図４参照）、第２ヘッドバンド２１と第１ヘッドバンド１１は同軸位置Ｏに位置し、突起部３３が位置規制槽２４の第２位置Ｐ２に位置するとき（図８参照）、第２ヘッドバンド２１と第１ヘッドバンド１１が横に揃えて並べられた位置になる。
【００１８】
前述した連結座体３１の突起部３３の設置と、第２ヘッドバンド２１の位置規制槽２４の設置の方法に関する説明は例を挙げたのみであり、一部実施態様において、連結座体３１に位置規制槽２４を設置し、第２ヘッドバンド２１に突起部３３を設置してもよい。
【００１９】
図２に示すように、回転軸４１は枢設部材であり、ここで、回転軸４１は主に植込みボルト４２とねじ４３から構成され、植込みボルト４２とねじ４３は軸孔１３１／２５１／２６４に挿通されて相互に螺合される。回転軸４１を連結座体３１に挿通し、第１固定片１２及び第２固定片２２が枢支される。
【００２０】
図２に示すように、本実施例において、弾性部材５１は圧縮ばねであり、収容槽３２に配置される。弾性部材５１を圧縮ばねとしたのは例を挙げたのみであり、一部実施態様において、弾性部材５１はゴム、弾性片等その他の弾性部材としてもよい。
【００２１】
図２及び図４に示すように、ボタン６１は収容槽３２内で移動し、ボタン６１の一面が弾性部材５１に付勢される。ここで、ボタン６１は主に押圧部６２とフック部６３から構成され、そのうち、押圧部６２は突出したブロック構造であり、収容槽３２から穿出され、押圧の操作を提供する。フック部６３はフック形式の構造であり、連結座体３１側端部の孔部３５の外に延伸され、本実施例において、押圧部６２とフック部６３は一体成型で成る。
【００２２】
前述のボタン６１の移動方法は、収容槽３２内で真っ直ぐに出入りしてフック部６３を相対移動させる（図４及び図５参照）ものであるが、この移動方法は例を挙げたのみであり、一部実施態様において、図６及図７に示すように、ボタン６１の移動方法は旋回してフック部６３を相対移動させる方式としてもよい。この場合、ボタン６１と収容槽３２の間に軸部６５構造を設け、かつ軸部６５構造が押圧部６２とフック部６３の間に位置し、押圧部６２が押圧されると、軸部６５構造を中心として旋回し、他端のフック部６３が反対方向に移動され、フック部６３が対応して設置された係止体２３から離脱する。ここで、係止体２３は下蓋の壁面に形成され、これにより第１ヘッドバンド１１と第２ヘッドバンド２１を開閉する目的を達することができる。
【００２３】
図３に示すように、押圧部６２はさらに収容槽３２に対面する凹溝６２１を備え、弾性部材５１の一端が凹溝６２１に位置する。ここで、収容槽３２内に設けられた凹陥溝３２１は押圧部６２に対面し、弾性部材５１の他端が凹陥溝３２１に位置する。
【００２４】
図４に示すように、ヘッドホンの使用時は、第１ヘッドバンド１１と第２ヘッドバンド２１が同軸位置Ｏにあり、このとき、弾性部材５１は解放された状態となり、かつ弾性部材５１の一端がボタン６１を押圧し、フック部６３が係止体２３に係着される（即ち、ボタン６１のフック部６３が挿入槽２７に挿入されて係止体２３に係着される）。
図５に示すように、ヘッドホンを折り畳むときは、押圧部６２を押圧して弾性部材５１を圧縮し、フック部６３を係止体２３から離脱させてから、回転軸４１を中心として第２ヘッドバンド２１を旋回させ、第２ヘッドバンド２１を第１ヘッドバンド１１の横に揃えて並べた状態にする。
【００２５】
図３及び図４に示すように、第２ヘッドバンド２１と第１ヘッドバンド１１が同軸位置Ｏにあるとき、第１折り畳み部１３と第２折り畳み部２５は重なり合って旋回槽３４内に位置し、第２ヘッドバンド２１と第１ヘッドバンド１１が横に揃えて並べられた位置にあるとき、第２折り畳み部２５が旋回槽３４から露出される（図８と図９参照）。
【実施例２】
【００２６】
図１、図９、図１０に示すように、本考案のヘッドホン折り畳みアセンブリ２００は本考案の実施例２である。
本実施例と実施例１の最大の違いは、ヘッドホン折り畳みアセンブリ２００の第１イヤーパッド８１がさらに第１旋回装置８２を備え、第２イヤーパッド９１がさらに第２旋回装置９２を備えており、かつ第１イヤーパッド８１と第２イヤーパッド９１がいずれも二方向に旋回する機能を提供することにある。
【００２７】
図９に示すように、本実施例において、第１イヤーパッド８１は円形のイヤーパッドであり、内部に単体構造（図示しない）が設置される。
また、第１イヤーパッド８１は第１旋回装置８２を備え、第１ヘッドバンド１１の連結に用いられ、ここで、第１旋回装置８２は主に二軸構造を備えている。
【００２８】
図９及び図１０に示すように、本実施例において、第１旋回装置８２の主軸８３部分は第１ヘッドバンド１１に連結され、かつ第１ヘッドバンド１１と同軸の位置にあり、主軸８３を中心として第１イヤーパッド８１を第１方向Ｒ１に旋回させ、第１イヤーパッド８１の角度を調整して耳部への密着または収納に使用し、第１イヤーパッド８１を調整して第１ヘッドバンド１１に揃えることができる。
【００２９】
図９及び図１０に示すように、本実施例において、第１旋回装置８２の副軸８４部分が第１ヘッドバンド１１の内側端部に連結され、副軸８４を中心として第１イヤーパッド８１を第２方向Ｒ２に旋回させ、第１イヤーパッド８１の角度を調整して収納に使用し、第１イヤーパッド８１を調整して第１ヘッドバンド１１に近付け、折りたたんで収納する目的を達することができ、第１旋回装置８２により多方向に第１イヤーパッド８１を旋回させる効果が提供される。
【００３０】
図９及び図１０に示すように、本実施例において、第２イヤーパッド９１は円形のイヤーパッドであり、内部に単体構造（図示しない）が設置される。
また、第２イヤーパッド９１は第２旋回装置９２を備え、第２ヘッドバンド２１の連結に用いられ、ここで、第２旋回装置９２は主に二軸構造を備えている。
【００３１】
図９及び図１０に示すように、本実施例において、第２旋回装置９２の主軸９３部分が第２ヘッドバンド２１に連結され、かつ第２ヘッドバンド２１と同軸位置にあり、主軸９３を中心として第２イヤーパッド９１を第１方向Ｒ１に旋回させ、第２イヤーパッド９１の角度を調整して耳部への密着または収納に使用し、第２イヤーパッド９１を調整して第２ヘッドバンド２１に揃えることができる。
【００３２】
図９及び図１０に示すように、本実施例において、第２旋回装置９２の副軸９４部分が第２ヘッドバンド２１の内側端部に連結され、副軸９４を中心として第２イヤーパッド９１を第２方向Ｒ２に旋回させ、第２イヤーパッド９１の角度を調整して収納に使用し、第２イヤーパッド９１を調整して第２ヘッドバンド２１に近付け、折りたたんで収納する目的を達することができ、第１旋回装置９２により多方向に第２イヤーパッド９１を旋回させる効果が提供される。
【００３３】
本考案の技術的内容は、上記の通り好ましい実施例で開示された。しかし本考案の保護範囲はこれらの実施例により限定されるべきものではなく、当業者は本考案の精神から離れることなく種々の変更及び改変を為し得え、それらは、本考案の範囲に当然含められるものである。よって本考案の保護範囲は、本明細書に添付する実用新案登録請求の範囲で定義しているものを基準とする。
【符号の説明】
【００３４】
１００    ヘッドホン折り畳み装置
２００    ヘッドホン折り畳みアセンブリ
１１      第１ヘッドバンド
１２      第１固定片
１３      第１折り畳み部
１３１    軸孔
２１      第２ヘッドバンド
２２      第２固定片
２３      係止体
２４      位置規制槽
２５      第２折り畳み部
２５１    軸孔
２６      カバーリング
２６１    上蓋
２６２    下蓋
２６３    折り畳み部
２６４    軸孔
２７      挿入槽
３１      連結座体
３１１    上板
３１２    下板
３２      収容槽
３２１    凹陥溝
３３      突起部
３４      旋回槽
３５      孔部
４１      回転軸
４２      植込みボルト
４３      ねじ
５１      弾性部材
６１      ボタン
６２      押圧部
６２１    凹溝
６３      フック部
６５      軸部
８１      第１イヤーパッド
８２      第１旋回装置
８３      主軸
８４      副軸
９１      第２イヤーパッド
９２      第２旋回装置
９３      主軸
９４      副軸
Ｏ        同軸位置
Ｒ１      第１方向
Ｒ２      第２方向
Ｐ１      第１位置
Ｐ２      第２位置
【図１】
0003189866.tif 000003
【図２】
0003189866.tif 000004
【図３】
0003189866.tif 000005
【図４】
0003189866.tif 000006
【図５】
0003189866.tif 000007
【図６】
0003189866.tif 000008
【図７】
0003189866.tif 000009
【図８】
0003189866.tif 000010
【図９】
0003189866.tif 000011
【図１０】
0003189866.tif 000012